(57)【要約】【課題】かっさと回転体によるマッサージとを同時に行うことができるとともに、比較的起伏の変化が大きい部位に回転体を容易に押し当てることができるマッサージ器を提供する。【解決手段】マッサージ器１は、板状を呈し、その周縁部２１を肌上で摺動させてマッサージを施すための本体２と、本体２の周縁部２１から外方に突出するように配置された回転可能な１個または複数個の回転体３と、を有している。回転体３の回転中心３１は、本体２の周縁部２１から外方に突出している。【選択図】図２
2019063481.tif 000002
【特許請求の範囲】
【請求項１】
板状を呈し、その周縁部を肌上で摺動させてマッサージを施すための本体と、
前記本体の前記周縁部から外方に突出するように配置された回転可能な１個または複数個の回転体と、を有し、
前記回転体の回転中心は、前記本体の前記周縁部から外方に突出している、マッサージ器。
【請求項２】
前記本体は、その厚み方向から視た平面視における外方に膨出した１か所以上の膨出部を有しており、前記回転体は、少なくとも１か所の前記膨出部から外方に突出するように配置されている、請求項１に記載のマッサージ器。
【請求項３】
前記本体は、互いに並んで配置された２か所の前記膨出部と、これらの膨出部同士の間に形成され、前記本体の厚み方向から視た平面視において前記膨出部よりも内方に陥没した陥没部とを有している、請求項２に記載のマッサージ器。
【請求項４】
前記回転体は、球状を呈している、請求項１〜３のいずれか１項に記載のマッサージ器。
【請求項５】
前記マッサージ器は、前記本体の外方に間隔を開けて配置された２個の前記回転体を有しており、前記各回転体の前記回転中心は、前記本体から前記回転体へ向かうにつれて互いの間隔が拡がるように配置されている、請求項１〜４のいずれか１項に記載のマッサージ器。
【請求項６】
２個の前記回転体は、前記本体の厚み方向から視た平面視における前記本体の輪郭に沿って、互いに並んで配置されている、請求項５に記載のマッサージ器。
【請求項７】
前記マッサージ器は、前記各回転体における、外表面と当該回転体の前記回転中心とが交わる点である２点の頂点と、２本の前記回転中心の交点と、前記本体の外表面における前記交点からも距離が最も大きい点である後端点と、を有しており、２点の前記頂点のうち前記後端点からの距離が短い頂点を第１頂点、前記後端点からの距離が長い頂点を第２頂点とし、前記第２頂点と前記後端点とを結ぶ直線に平行な方向を縦方向とし、前記本体の厚み方向から視た平面視において前記直線に直交する方向を横方向とした場合に、前記縦方向における前記本体の外形寸法が前記横方向における前記本体の外形寸法よりも長い、請求項６に記載のマッサージ器。
【請求項８】
前記マッサージ器は、前記各回転体における、外表面と当該回転体の前記回転中心とが交わる点である２点の頂点と、２本の前記回転中心の交点と、前記本体の外表面における前記交点からも距離が最も大きい点である後端点と、を有しており、２点の前記頂点のうち前記後端点からの距離が短い頂点を第１頂点、前記後端点からの距離が長い頂点を第２頂点とした場合に、前記本体は、厚み方向から視た平面視において、前記第２頂点と前記後端点とを結ぶ直線に垂直な断面における前記本体の図心を連ねてなる中心線によって区画された２か所の領域を有しており、２個の前記回転体は、２か所の領域のうち同一の領域の外方に配置されている、請求項６または７に記載のマッサージ器。
【請求項９】
前記マッサージ器は、前記各回転体における、外表面と当該回転体の前記回転中心とが交わる点である２点の頂点と、２本の前記回転中心の交点と、前記本体の外表面における前記交点からも距離が最も大きい点である後端点と、を有しており、２点の前記頂点のうち前記後端点からの距離が短い頂点を第１頂点、前記後端点からの距離が長い頂点を第２頂点とし、前記本体は、前記第２頂点側から前記後端点側に向かうにつれて厚み方向から視た平面視における幅が狭くなる先細り形状を有している、請求項６〜８のいずれか１項に記載のマッサージ器。
【発明の詳細な説明】
【技術分野】
【０００１】
本発明は、マッサージ器に関する。
【背景技術】
【０００２】
肌の美容のためのマッサージ方法として、ヘラやレンゲ等の縁を肌に摺動させることにより血流やリンパの流れを促進し、肌の新陳代謝を高める「かっさ」と呼ばれる方法が知られている。この種のマッサージ方法には、「かっさ板」と呼ばれる板状のマッサージ器が使用されることがある。かっさ板の側面、つまり、厚み方向から視た平面視における周縁部は、人体の様々な部分をマッサージすることができるように、前記平面視において凹状に湾曲した輪郭を有する凹状部、凸状に湾曲した輪郭を有する凸状部及び直線状の輪郭を有する直線部が組み合わされた複雑な形状を有していることが多い。
【０００３】
また、肌の美容のためのマッサージ方法として、ローラーを肌に押し当てながら転動させる方法も知られている。例えば特許文献１には、板状の本体と、この本体の側面に回転可能に保持された複数のローラーとを有するマッサージ具が記載されている。
【先行技術文献】
【特許文献】
【０００４】
【特許文献１】意匠登録第１４３６４００号公報
【発明の概要】
【発明が解決しようとする課題】
【０００５】
しかし、特許文献１のマッサージ具におけるローラーの回転軸は、かっさ板の側面に沿って配置されている。それ故、本体の側面とローラーとを同時に肌に押し当て、かっさとローラーによるマッサージとを同時に行うことが難しい。つまり、特許文献１のマッサージ具を用いてかっさとローラーによるマッサージとを同時に行うためには、ローラーと、本体の側面（つまり、周縁部）におけるローラーの周辺部分とを同時に肌に押し当てる必要がある。
【０００６】
しかし、特許文献１のマッサージ具において、複数のローラーは、本体の側面における凹状に湾曲した部分に等間隔に配置されている。また、本体の側面におけるローラー同士の間に配置された部分は、ローラーよりも内方に配置されている。そのため、ローラーを肌に押し当てた際に、本体の側面が肌に接触しにくくなり、場合によっては本体の側面が肌に接触しなくなるおそれもある。
【０００７】
このように、特許文献１のマッサージ具は、ローラーを肌に押し当てた際に、同時に本体の側面を肌に押し当てることが難しいため、かっさとローラーによるマッサージとを同時に行うことが難しい。
【０００８】
また、特許文献１のマッサージ具は、例えば顔等の比較的起伏の変化が大きい部位をマッサージしようとする場合に、ローラーを肌に押し当てることが難しいことがある。
【０００９】
本発明は、かかる背景に鑑みてなされたものであり、かっさと回転体によるマッサージとを同時に行うことができるとともに、比較的起伏の変化が大きい部位に回転体を容易に押し当てることができるマッサージ器を提供しようとするものである。
【課題を解決するための手段】
【００１０】
本発明の一態様は、板状を呈し、その周縁部を肌上で摺動させてマッサージを施すための本体と、
前記本体の前記周縁部から外方に突出するように配置された回転可能な１個または複数個の回転体と、を有し、
前記回転体の回転中心は、前記本体の前記周縁部から外方に突出している、マッサージ器にある。
【発明の効果】
【００１１】
前記マッサージ器は、本体の側面、つまり、厚み方向から視た平面視における周縁部から外方に突出するように配置された回転体を有している。そして、回転体の回転中心は、本体の周縁部から外方に突出している。回転体及び回転中心をこのように配置することにより、本体の周縁部と回転体とを同時に肌に押し当てることができる。その結果、かっさと回転体によるマッサージとを同時に行うことができる。また、回転体を本体の周縁部から外方に突出するように配置することにより、例えば顔等の起伏の変化の大きい部分にも、回転体を容易に押し当てることができる。
【図面の簡単な説明】
【００１２】
【図１】実施例１における、マッサージ器の斜視図である。
【図２】実施例１における、マッサージ器を厚み方向から視た平面図である。
【図３】実施例１のマッサージ器における、凹状部及び凸状部の範囲を示す平面図である。
【図４】実施例１のマッサージ器における本体の縦方向の長さ及び横方向の長さを示す平面図である。
【図５】実施例１におけるマッサージ器を、回転体を有する側から視た側面図である。
【図６】実施例１のマッサージ器における、厚み方向を基準とした回転中心の角度を示す側面図である。
【図７】実施例１におけるマッサージ器を、第１頂点、第２頂点及び本体の後端点が一直線上に並ぶように視た平面図である。
【図８】実施例１のマッサージ器を用いて、頬及び目元のリフトアップを行う方法の説明図である。
【図９】図８に示す方法によりマッサージされる部分を示した説明図である。
【図１０】実施例１のマッサージ器を用いて、頬及び目元のリフトアップを行う別の方法の説明図である。
【図１１】図１０に示す方法によりマッサージされる部分を示した説明図である。
【図１２】実施例１のマッサージ器を用いて、あごの引き締めを行う方法の説明図である。
【図１３】図１２に示す方法によりマッサージされる部分を示した説明図である。
【図１４】実施例１のマッサージ器を用いて、回転体により目元のマッサージを行う方法の説明図である。
【図１５】図１４に示す方法によりマッサージされる部分を示した説明図である。
【図１６】実施例１のマッサージ器を用いて、回転体により目元をつまみ上げるようにマッサージを行う方法の説明図である。
【図１７】図１６に示す方法によりマッサージされる部分を示した説明図である。
【図１８】実施例１のマッサージ器を用いて、回転体により目尻をつまみ上げるようにマッサージを行う方法の説明図である。
【図１９】図１８に示す方法によりマッサージされる部分を示した説明図である。
【図２０】実施例１のマッサージ器を用いてマッサージを行う場合における、本体の周縁部と肌との接触状態の例を示す説明図である。
【図２１】回転体が突出している凸状部に他の凸状部が連なっているマッサージ器を用いてマッサージを行う場合における、本体の周縁部と肌との接触状態の例を示す説明図である。
【図２２】従来の美容器を用いて肌を摘み上げるマッサージを行う方法の説明図である。
【図２３】従来の美容器を用いて肌を摘み上げるマッサージを行う方法の別の態様の説明図である。
【図２４】実施例２における、凹状部の両端に回転体を備えたマッサージ器を厚み方向から視た平面図である。
【図２５】実施例３における、円板状を呈する本体を備えたマッサージ器を厚み方向から視た平面図である。
【図２６】実施例３における、四角形状を呈する本体を備えたマッサージ器を厚み方向から視た平面図である。
【図２７】実施例４における、弧状を呈する本体を備えたマッサージ器を厚み方向から視た平面図である。
【図２８】実施例４のマッサージ器における、本体の縦方向の長さ及び横方向の長さを示す平面図である。
【図２９】実施例４におけるマッサージ器を、第１頂点、第２頂点及び本体の後端点が一直線上に並ぶように視た平面図である。
【図３０】実施例５における、第１頂部と第２頂部とのそれぞれに２個の回転体を備えたマッサージ器を厚み方向から視た平面図である。
【図３１】実施例６における、第１電極、第２電極及び第３電極が別々の部品に設けられたマッサージ器の斜視図である。
【図３２】実施例６のマッサージ器における、凹状部及び凸状部の範囲を示す平面図である。
【発明を実施するための形態】
【００１３】
前記マッサージ器において、本体は板状を呈しており、その側面、つまり、厚み方向から視た平面視における周縁部を肌に摺動させることにより、かっさを行うことができるように構成されている。ここで、「板状」には、平板と、一般的な感覚として板と認められる程度に平板の少なくとも一部を湾曲してなる形状とが含まれる。例えば、本体における周縁部に囲まれた部分の表面は、平坦であってもよいし、厚み方向に若干膨出し、または若干陥没していてもよい。また、当該部分の表面には、凹凸が設けられていてもよい。なお、いわゆる「厚み方向」は、本体の投影面積が最大となる平面に垂直な方向をいう。
【００１４】
厚み方向から視た平面視、つまり、本体の投影面積が最大となるように視た平面視における本体の形状は特に限定されることはなく、種々の態様を採り得る。例えば、前記平面視における本体の形状は、円形や楕円形、長円形等の円を基本とした形状を呈していてもよいし、三角形、正方形、長方形、五角形等の多角形状を呈していてもよい。
【００１５】
また、本体は、前述した比較的単純な形状を、一般的な感覚として当該形状と認識できる程度に変形してなる形状を呈していてもよい。更に、本体は、前述した比較的単純な形状以外にも、例えばハート形やコンマ記号のような形状等の、前記平面視における輪郭が直線や曲線の組み合わせからなる比較的複雑な形状を呈していてもよい。
【００１６】
本体は、その厚み方向から視た平面視における外方に膨出した１か所以上の膨出部を有しており、回転体は、少なくとも１か所の膨出部から外方に突出するように配置されていることが好ましい。ここで、前述した膨出部には、例えば、ハート形の頭部やコンマ記号の頭部、四角形の角部等の、一般的な感覚として周囲よりも外方に膨出していると認識できる部分が含まれる。
【００１７】
回転体を膨出部から外方に突出するように配置することにより、回転体を肌に押し当てた場合に、回転体とともに、膨出部に連なる部分を容易に肌に押し当てることができる。その結果、マッサージ器の使い勝手をより向上させることができる。更に、この場合には、例えば目元や鼻筋等の、周囲より陥没した部位においても、回転体を容易に肌の表面に押し当てることができる。その結果、回転体によるマッサージをむらなく行うことができる。
【００１８】
また、本体は、互いに並んで配置された２か所の膨出部と、これらの膨出部同士の間に形成され、本体の厚み方向から視た平面視において膨出部よりも内方に陥没した陥没部とを有していてもよい。この場合には、陥没部、即ち２か所の膨出部の間にあご等の周囲よりも外方に張り出した部位を挟み込み、陥没部全体を当該部位の表面に容易に押し当てることができる。その結果、周囲よりも外方に張り出した部位において、かっさをむらなく行うことができる。さらに、この場合には、陥没部に周囲よりも外方に張り出した部位を挟み込むとともに、回転体を肌に押し当ててマッサージ器を往復移動させることにより、かっさと回転体によるマッサージとを同時に行うこともできる。
【００１９】
本体の周縁部は、本体の厚み方向から視た平面視における輪郭が凸状に湾曲した凸状部を１か所以上有するとともに、前記平面視における輪郭が凹状に湾曲し凸状部に連なる凹状部、及び、前記平面視における輪郭が直線状を呈し凸状部に連なる直線部のうち少なくとも一方を１か所以上有しており、回転体の回転中心は、凸状部から外方に突出していることが好ましい。即ち、回転体は、凹状部又は直線部のいずれかに連なる凸状部から外方に突出するように配置されていることが好ましい。
【００２０】
回転体が配置された凸状部に他の凸状部が連なっている場合、回転体を肌に押し当てると、前述した凸状部が、回転体から離れるにつれて肌から遠ざかるように配置される。そのため、この場合には、回転体を肌に押し当てた際に、同時に肌に接触し得る凸状部の長さが比較的短くなりやすい。
【００２１】
これに対し、回転体が配置された凸状部に直線部または凹状部が連なっている場合、当該直線部または凹状部は、他の凸状部が連なっている場合に比べて肌に近い位置に配置される。そのため、この場合には、回転体と、前述した凹状部又は直線部とを同時に肌に押し当て、回転体と凸状部とを同時に肌に押し当てる場合に比べて本体の周縁部と肌との接触部分の長さをより長くすることができる。その結果、かっさをより効率よく行うことができる。
【００２２】
また、本体の周縁部は、凸状部と、当該凸状部に連なる凹状部とを有しており、回転体は、当該凸状部から外方に突出するように配置されていることが好ましい。かっさと回転体によるマッサージとを同時に行う場合、かっさを行おうとする部分の表面は、例えば頬やあご等のように、凸状の曲面であることが多い。そのため、回転体が配置された凸状部に隣接して凹状部を設けることにより、回転体を肌に押し当てた際に、凹状部が肌の凸状曲面に沿うように配置される。その結果、回転体を肌に押し当てつつ、凹状部を肌の湾曲形状に沿って押し当てることができる。これにより、本体の周縁部と肌との接触部分の長さを更に長くし、かっさをさらに効率よく行うことができる。
【００２３】
また、本体の周縁部は、その少なくとも一部に、凹状部または直線部と、当該凹状部または直線部の両端にそれぞれ連なる凸状部とを有しており、前記回転体は、その少なくとも一部がこれらの凸状部の両方に接する直線よりも外方に突出するように配置されていることが好ましい。この場合には、凹状部または直線部を肌に押し当てた場合に、回転体を肌側に突出させることができる。そのため、直線部または凹状部を肌に押し当てつつ、回転体をより容易に肌に押し当てることができる。これにより、マッサージ器の使い勝手をより向上させることができる。
【００２４】
本体の側面、つまり、厚み方向から視た平面視における周縁部からは、１個または複数個の回転体が外方に突出するように配置されている。回転体は、その全体が本体の周縁部から突出するように配置されていてもよいし、その一部が本体の周縁部から突出するように配置されていてもよい。回転体の少なくとも一部が本体の周縁部から突出するように配置されていれば、本体の周縁部と回転体とを同時に肌に押し当てることができる。
【００２５】
回転体は、例えば、球状であってもよいし、筒状であってもよい。ここで、「球状」には、真球と、楕円球や涙滴形状等の一般的な感覚として球形と認められる程度に真球を変形してなる形状とが含まれる。また、「筒状」には、円筒及び角筒等の筒と、例えばテーパ形状、即ち先端に近いほど径が細くなる形状や逆テーパ形状、即ち先端に近いほど径が太くなる形状等の、一般的な感覚として球形と認められる程度に筒を変形してなる形状とが含まれる。
【００２６】
回転体の外径は特に限定されるものではないが、例えば球状を呈する回転体の場合には、例えば、回転中心と直交する方向における直径を１０〜２０ｍｍの範囲内から適宜設定することができる。また、球状を呈する回転体の場合には、前記直径を１５〜２０ｍｍの範囲内とすることが好ましい。球状の回転体における前記直径を前記特定の範囲とすることにより、例えば目元や鼻筋等の、周囲より陥没した部位においても、回転体をより容易に肌の表面に押し当てることができる。かかる観点からは、前記直径を、１８〜１９ｍｍの範囲内とすることがより好ましい。
【００２７】
また、筒状を呈する回転体の場合には、例えば、回転中心と直交する方向における直径を１０〜２０ｍｍの範囲内から適宜設定するとともに、回転中心に沿う方向における長さを１０〜２５ｍｍの範囲内から適宜設定することができる。
【００２８】
回転体の表面は、曲面から構成されていてもよいし、例えば三角形状の平面や四角形状の平面などの多数の平面から構成されていてもよい。肌のマッサージ効果をより高める観点からは、回転体の表面が多数の平面から構成されていることが好ましい。また、同様の観点からは、回転体の表面に多数の突起が設けられていることが好ましい。
【００２９】
回転体は、球状を呈していることが好ましい。この場合には、例えば目元や鼻筋等の、周囲より陥没した部位においても、回転体を容易に肌の表面に押し当てることができる。その結果、回転体によるマッサージをむらなく行うことができる。
【００３０】
回転体の回転中心は、本体の周縁部から外方に突出した直線である。回転中心は、例えば、回転体の重心を貫くように配置されていてもよいし、回転体の重心から外れた位置を貫くように配置されていてもよい。また、回転中心は、本体の厚み方向に直交する方向、つまり、本体の投影面積が最大となる平面に対して平行な方向に延設されていてもよいし、本体の厚み方向に対して傾斜した方向に延設されていてもよい。
【００３１】
本体の厚み方向と、回転中心の延設方向とのなす角度は、例えば、６０〜１２０度の範囲から適宜設定することができる。これにより、本体の周縁部と回転体とを同時に肌に押し当て、更にはマッサージ器の移動に伴って回転体を回転させることができる。
【００３２】
また、本体の厚み方向と、回転中心の延設方向とのなす角度を７５〜１０５度の範囲内であることが好ましく、８０〜１００度の範囲内であることがより好ましく、８５〜９５度の範囲内であることがさらに好ましく、８８〜９２度の範囲内であることが特に好ましい。本体の厚み方向と、回転中心の延設方向とのなす角度が９０度に近くなるほど、回転体をよりスムーズに回転させることができる。
【００３３】
また、前記マッサージ器は、本体の外方に間隔を開けて配置された２個の回転体を有しており、各回転体の回転中心は、本体から外方へ向かうにつれて互いの間隔が拡がるように配置されていることが好ましい。この場合には、２個の回転体を肌に押し当てつつ前記マッサージ器を肌上で往復移動させることにより、これらの回転体によって肌を摘み上げるようにマッサージを行うことができる。そして、使用者は、前記マッサージ器を用いることにより、かっさ、回転体を肌上で転動させるマッサージ、かっさと回転体の転動とを同時に行うマッサージ及び、前述した肌を摘み上げるマッサージから所望のマッサージを選択して行うことができる。
【００３４】
前記の場合において、回転体同士の間隔は、回転体の形状や直径に応じて適宜設定することができる。例えば、回転体が直径１０〜２０ｍｍの球状を呈する場合には、回転体同士の間隔を、７ｍｍ以上１０ｍｍ未満の範囲内から設定することが好ましい。これにより、２個の回転体によって肌を適度に強く摘み上げ、マッサージ効果をより高めることができる。また、回転中心同士のなす角度は、例えば、４０〜７０度の範囲内から設定することが好ましい。この場合にも、前記と同様に、２個の回転体によって肌を適度に強く摘み上げ、マッサージ効果をより高めることができる。マッサージ効果をより高める観点からは、回転体同士の間隔を７．５ｍｍ以上９ｍｍ以下とすることがより好ましい。同様に、回転中心同士のなす角度を４５〜６５度とすることがより好ましく、５０〜６０度とすることがさらに好ましい。
【００３５】
なお、前記の場合において、マッサージ器は、肌の摘み上げを行うための２個の回転体とは別に、１個または２個以上の回転体を更に有していてもよい。
【００３６】
前記の場合において、本体の厚み方向と、回転中心の延設方向とのなす角度は、６０〜１２０度の範囲内であることが好ましく、７５〜１０５度の範囲内であることがより好ましく、８０〜１００度の範囲内であることがさらに好ましく、８５〜９５度の範囲内であることがさらに好ましく、８８〜９２度の範囲内であることが特に好ましい。
【００３７】
肌を摘み上げるマッサージを行う場合には、前述したように、２個の回転体を肌に押し当てつつ前記マッサージ器を肌上で往復移動させる。かかる方法でマッサージを使用する場合、肌を摘み上げる力の大きさは、マッサージ器の進行方向と回転中心の延設方向とのなす角度に応じて変化する。そのため、往路における進行方向と回転中心の延設方向とのなす角度と、復路における当該角度との差が大きい場合には、往路における肌を摘み上げる力と復路における当該力との差が大きくなる。その結果、往路または復路のいずれか一方における肌を摘み上げる力が、他方における肌を摘み上げる力よりも弱くなるおそれがある。
【００３８】
本体の厚み方向と、回転中心の延設方向とのなす角度を９０度に近づけることにより、往路における進行方向と回転中心の延設方向とのなす角度と、復路における前記角度との差を小さくしやすくなる。そのため、マッサージ器を往復移動させるという単純な動作により、往路と復路とで同程度のマッサージ効果を得ることができる。その結果、マッサージ器の使い勝手をより向上させることができる。
【００３９】
前記の場合において、２個の回転体は、厚み方向から視た平面視における本体の輪郭に沿って、互いに並んで配置されていることが好ましい。２個の回転体によって肌を摘み上げるマッサージを行う場合には、前述したように、２個の回転体を肌に押し当てつつ、マッサージ器を２個の回転体の並び方向と直交する方向に往復移動させればよい。
【００４０】
従来、２個の回転体によって肌の摘み上げを行う美容器としては、例えば特開２０１５−１８６５４０号公報に記載されたような、棒状のハンドルの先端に２個の回転体を有する美容器が知られている。この種の美容器において２個の回転体を肌に押し当てた際には、ハンドルの長手方向が２個の回転体の並び方向に対して概ね直交する。そのため、この種の美容器を用いて肌を摘み上げるマッサージを行う場合には、腕全体を動かして、美容器をハンドルの長手方向に往復移動させる必要がある。
【００４１】
これに対し、２個の回転体が前述のように本体の輪郭に沿って互いに並んで配置されている場合には、これらの回転体を肌に押し当てた際に、本体の厚み方向と２個の回転体の並び方向とのなす角度が概ね直交する。
【００４２】
それ故、例えば、頬骨に沿う部分や目元等の肩よりも上方の部分に肌を摘み上げるマッサージを行う場合には、マッサージ器を把持した手が上方、肘が下方となる姿勢で回転体を肌に押し当て、前腕部や手首を左右に振るようにしてマッサージ器を厚み方向に往復移動させればよい。また、例えば、腹部や腕部等の肩よりも下方の部分に肌を摘み上げるマッサージを行う場合には、前腕部が水平になるような姿勢で回転体を肌に押し当て、前腕部や手首を上下に振るようにしてマッサージ器を厚み方向に往復移動させればよい。
【００４３】
このように、前記マッサージ器によれば、上腕部を動かさず、前腕部や手首を振るようにして動かすことにより肌を摘み上げるマッサージを行うことができる。その結果、肌を摘み上げるマッサージを行う際の腕への負荷をより軽減し、使い勝手をよりよくすることができる。
【００４４】
前記マッサージ器は、前記各回転体における、外表面と当該回転体の前記回転中心とが交わる点である２点の頂点と、２本の前記回転中心の交点と、前記本体の外表面における前記交点からも距離が最も大きい点である後端点と、を有している。前記マッサージ器は、これら２点の前記頂点のうち前記後端点からの距離が短い頂点を第１頂点、前記後端点からの距離が長い頂点を第２頂点とし、さらに、前記第２頂点と前記後端点とを結ぶ直線に平行な方向を縦方向とし、前記本体の厚み方向から視た平面視において前記直線に直交する方向を横方向とした場合に、前記縦方向における本体の外形寸法が前記横方向における前記本体の外形寸法よりも長いことが好ましい。
【００４５】
ここで、縦方向における外形寸法及び横方向における外形寸法は、以下のようにして測定される寸法である。まず、厚み方向から視た平面視、つまり、本体の投影面積が最大となるように視た平面視において、縦方向に延設された辺と横方向に延設された辺とから構成され、かつ、本体に外接する四角形を定める。この四角形の縦方向の長さを縦方向における外形寸法とし、横方向の長さを横方向における外形寸法とする。
【００４６】
回転体を肌に転動させるマッサージや肌を摘み上げるマッサージを行う場合には、使用者が回転体の反対側から本体を把持して回転体を肌へ押しつけることにより、肌への押圧力を適度に大きくすることができる。この際、本体の形状を前述のごとく縦方向に長い形状とすることにより、横方向に長い形状とした場合に比べて手から回転体までの距離を短くすることができる。その結果、前述したマッサージを行う際に、肌を適度に強く押圧しつつマッサージ器を意図した通りに動かしやすくなり、マッサージ器の使い勝手をより向上させることができる。
【００４７】
本体は、厚み方向から視た平面視において、前記第２頂点と前記後端点とを結ぶ直線に垂直な断面における本体の図心を連ねてなる中心線によって区画された２か所の領域を有しており、２個の回転体は、２か所の領域のうち同一の領域の外方に配置されていてもよい。ここで、本体の図心とは、前記断面において、本体の輪郭によって囲まれた領域の中心をいう。
【００４８】
この場合には、回転体を肌に転動させるマッサージや肌を摘み上げるマッサージを行う際に、使用者が回転体の反対側から本体を把持して回転体を肌へ押しつけることにより、肌への押圧力を適度に大きくすることができる。また、回転体を前記特定の位置に配置することにより、手首をまっすぐにした自然な姿勢で本体を把持し、回転体を肌に押し当てることができる。これらの結果、マッサージ器の使い勝手をより向上させることができる。
【００４９】
本体は、前記第２頂点側から前記後端点側に向かうにつれて厚み方向から視た平面視における幅が狭くなる先細り形状を有していてもよい。この場合には、本体の形状を、使用者がより持ちやすい形状とすることができる。その結果、マッサージ器の使い勝手をより向上させることができる。
【００５０】
前記マッサージ器は、本体の周縁部に配置された第１電極と、回転体の表面に配置された第２電極と、本体における第１電極から離間した位置に配置された第３電極とを有し、第１電極及び第２電極のうち少なくとも一方と第３電極とが肌に接触した状態において、肌に接触した電極を含む電流経路を形成することができるように構成されていることが好ましい。
【００５１】
この場合には、第３電極に触れるようにして本体を手で把持し、第１電極及び第２電極の少なくとも一方を肌に押し当ててかっさ等のマッサージを行うことにより、前記電流経路に微弱な電流を流すことができる。そして、かっさ等のマッサージに加えて、マッサージしている部位に前述した微弱な電流を流すことにより、マッサージの効果と微弱な電流による効果とを相乗的に作用させ、肌への美容効果をより高めることができる。
【００５２】
肌に流す微弱電流は特に限定されることはない。例えば、電流の大きさは、５０〜１０００μＡの範囲から適宜設定することができる。また、電流の波形は、直流であってもよいし、正弦波や矩形波、三角波等の交流であってもよい。更に、電流は、１つのパルスまたは複数のパルス群からなるパルス電流であってもよい。これらの範囲から電流の大きさ及び波形を適宜選択することにより、例えば、肌の新陳代謝を高めるためのマイクロカレントと呼ばれる微弱電流や、電荷を帯びた美容成分を肌表面から肌内部へ浸透させるためのイオン導入電流、毛穴の汚れ等の電荷を帯びた汚れ成分を肌内部から肌表面へ浮き上がらせるためのイオン導出電流を肌に流すことができる。
【実施例】
【００５３】
（実施例１）
前記マッサージ器の実施例を、図１〜図２３を用いて説明する。本例のマッサージ器１は、図１〜図５に示すように、板状を呈し、その周縁部２１を肌上で摺動させてマッサージを施すための本体２と、本体２の周縁部２１から外方に突出するように配置された回転可能な１個または複数個の回転体３と、を有している。図２及び図５に示すように、回転体３の回転中心３１は、本体２の周縁部２１から外方に突出している。
【００５４】
図１及び図２に示すように、マッサージ器１の本体２は、その厚み方向から視た平面視、つまり、投影面積が最大となるように視た平面視（図２参照）においてハート形を呈している。より具体的には、本体２は、前記平面視において略半球状を呈するように外方に膨出し、互いに並んで配置された２か所の頂部２２、２３と、頂部２２、２３から延設され、先端に近いほど幅が狭くなっている尾部２４とを有している。
【００５５】
以下において、２か所の頂部２２、２３の並び方向を幅方向ということがある。また、幅方向及び厚み方向の両方に直交する方向を上下方向といい、上下方向における頂部２２、２３側を上方、尾部２４側を下方ということがある。これらのマッサージ器１の方向に関する記載は便宜上のものであり、マッサージ器１を使用する際の向きとは何ら関係がない。
【００５６】
本例の本体２は、その厚み方向から視た平面視における外方に膨出した膨出部２０としての頂部２２、２３を有している。これらの頂部２２、２３のうち一方の頂部２２からは、回転体３の回転中心３１が外方に突出している。また、２か所の頂部２２、２３の間には、本体２の厚み方向から見た平面視において、これらの頂部２２、２３よりも内方に陥没した陥没部２５が形成されている。以下においては、便宜上、２か所の頂部２２、２３のうち回転体３が突出している頂部を第１頂部２２といい、他方の頂部を第２頂部２３という。また、幅方向における第１頂部２２側を右方といい、第２頂部２３側を左方ということがある。これらの左右方向に関する記載は便宜上のものであり、マッサージ器１を使用する際の向きとは何ら関係がない。
【００５７】
本体２の尾部２４は、図２に示すように、頂部２２、２３側から尾部２４側に近づくにつれて、幅方向における第１頂部２２側へ湾曲している。
【００５８】
また、本体２の外表面は、図２及び図３に示すように、厚み方向から視た平面視における本体２の輪郭を含む周縁部２１と、周縁部２１に囲まれた２枚の主面部２８と、を有している。本例において、本体２の周縁部２１は、図３に示すように、本体２の厚み方向から視た平面視における輪郭が凸状に湾曲した３か所の凸状部２１１（第１凸状部２１１ａ、第２凸状部２１１ｂ及び第３凸状部２１１ｃ）を有するとともに、前記平面視における輪郭が凹状に湾曲し凸状部２１１に連なる２か所の凹状部２１２（第１凹状部２１２ａ及び第２凹状部２１２ｂ）と、を有している。また、回転体３の回転中心３１は、凸状部２１１から外方に突出している。なお、図３においては、便宜上、回転体３を簡略化して記載した。
【００５９】
本体２の周縁部２１の構成を、図３を参照しつつより具体的に説明する。第１頂部２２の周縁部は、幅方向における外側部分（つまり、右方）に配置された第１凸状部２１１ａと、幅方向における内側部分（つまり、左方）に配置された第２凸状部２１１ｂとから構成されている。第１凸状部２１１ａは、第１頂部２２の上端２２１において第２凸状部２１１ｂと接続されている。また、第１凸状部２１１ａからは、２個の回転体３が外方に突出するように配置されている。第２凸状部２１１ｂは、第１凸状部２１１ａよりも大きな曲率半径を有している。
【００６０】
第１頂部２２の周縁部と尾部２４の周縁部の間、つまり、本体２の周縁部２１における、幅方向の第１頂部２２側を構成する部分には、第１凹状部２１２ａが配置されている。第１凹状部２１２ａは、第１凸状部２１１ａと、後述する第３凸状部２１１ｃとを接続している。このように、本体２の周縁部２１は、第１凸状部２１１ａと、第１凸状部２１１ａに連なる第１凹状部２１２ａとを有しており、回転体３の回転中心３１は、第１凸状部２１１ａから外方に突出している。
【００６１】
第１頂部２２と第２頂部２３との間には、第２凹状部２１２ｂが配置されている。第２凹状部は、第１凸状部２１１ａと第２凸状部２１１ｂとを接続している。
【００６２】
本体２の周縁部２１の残部、即ち、第２頂部２３の周縁部から本体２の周縁部２１における幅方向の第２頂部２３側の部分を介して尾部２４に亘る部分には、第３凸状部２１１ｃが配置されている。
【００６３】
これらを換言すると、第１凸状部２１１ａは、本体２の周縁部２１における、第１頂部２２の上端２２１よりも右方に配置されている。本体２の厚み方向から視た平面視における第１凸状部２１１ａの輪郭は、第１頂部２２の上端２２１から下方に向かうにつれて右方へ膨らみ、その後、左方へ後退する凸状を呈している。
【００６４】
第１凹状部２１２ａは、第１凸状部２１１ａの下方に連なっている。第１凹状部２１２ａは、本体２の周縁部２１における第１頂部２２から尾部２４までの範囲に亘って配置されている。前記平面視における第１凹状部２１２ａの輪郭は、第１凸状部２１１ａの下端２１４から下方に向かうにつれて左方へ後退し、その後、右方へ膨らむ凹状を呈している。
【００６５】
第２凸状部２１１ｂは、第１凸状部２１１ａの左方に連なっている。第２凸状部２１１ｂは、本体２の周縁部２１における第１頂部２２の上端２２１よりも左方に配置されている。前記平面視における第２凸状部２１１ｂの輪郭は、第１頂部２２の上端２２１から第１頂部２２と第２頂部２３との間へ向かって延設されており、第１頂部２２の上端２２１と第２凸状部２１１ｂの左端２１５との中間部分がわずかに外方に膨らんだ凸状を呈している。
【００６６】
第２凹状部２１２ｂは、第２凸状部２１１ｂの左方に連なっている。第２凹状部２１２ｂは、第１頂部２２と第２頂部２３との間に配置されている。前記平面視における第２凹状部２１２ｂの輪郭は、第２凸状部２１１ｂの左端２１５から左方へ向かうにつれて下方へ陥没し、その後上方へ突出する凹状を呈している。
【００６７】
第３凸状部２１１ｃは、本体２の周縁部２１の残部、即ち、第２頂部２３のから本体２の周縁部２１における左方の部分を介して尾部２４までに亘って配置されている。前記平面視における第３凸状部２１１ｃの輪郭は、その全範囲に亘って凸状に湾曲している。
【００６８】
また、本体２は、その厚み方向から視た平面視における周縁部２１の内側に主面部２８を有している。主面部２８は、尾部２４から頂部２２、２３に向かって延設された複数の隆起部２８０を有している。複数の隆起部２８０は、厚み方向から視た平面視において、本体２の輪郭に沿って湾曲した曲線状を呈している。また、図には示さないが、各隆起部２８０は、幅方向の断面において円弧状の輪郭を有している。
【００６９】
本例のマッサージ器１は、本体２における第１頂部２２の外方に間隔を開けて配置された２個の回転体３（３ａ、３ｂ）を有している。各回転体３（３ａ、３ｂ）の回転中心３１（３１ａ、３１ｂ）は、当該回転体３の重心を貫くように配置された直線である。また、各回転体３の回転中心３１は、本体２から外方へ向かうほど互いの間隔が拡がるように配置されており、図２及び図４に示すように、交点３１２において互いに交差している。以下においては、便宜上、２個の回転体３のうち第１凹状部２１２ａに近い方の回転体を第１回転体３ａといい、第２凹状部２１２ｂに近い方の回転体を第２回転体３ｂという。
【００７０】
本例における回転体３同士の間隔、即ち、第１回転体３ａの表面と第２回転体３ｂの表面との距離の最小値は、例えば７〜１０ｍｍの範囲から適宜設定することができる。また、回転体３の回転中心３１同士のなす角θは、４０〜７０度の範囲から適宜設定することができる。本例のマッサージ器１においては、回転体３同士の間隔は８．３ｍｍであり、回転体３の回転中心３１同士のなす角θは５３度である。
【００７１】
２個の回転体３のうち、第１凹状部２１２ａに近い第１回転体３ａは、図２に示すように、第１凸状部２１１ａと、第３凸状部２１１ｃの下方の部分（つまり、尾部２４の周縁部）との両方に接する直線Ｌ１よりも外方に突出するように配置されている。また、第２凹状部２１２ｂに近い第２回転体３ｂは、第２凸状部２１１ｂと、第３凸状部２１１ｃの上方の部分（つまり、第２頂部２３の周縁部）との両方に接する直線Ｌ２よりも外方に突出するように配置されている。
【００７２】
このように、本例のマッサージ器１における本体２の周縁部２１は、その少なくとも一部に、２か所の凸状部２１１と、これらの凸状部２１１の間に配置された凹状部２１２とを有している。そして、各回転体３は、その少なくとも一部がこれら２か所の凸状部２１１の両方に接する直線Ｌ１、Ｌ２よりも外方に突出するように配置されている。
【００７３】
また、図５及び図６に示すように、各回転体３における回転中心３１は、本体２の厚み方向と直交する方向に延設されている。即ち、図６に示すように、各回転体３における回転中心３１の延設方向と、本体２の厚み方向に平行な直線Ｔのなす角度θ２は９０度である。
【００７４】
各回転体３は、図１〜図５に示すように、球状を呈している。本例の回転体３は、より具体的には、図１及び図２に示すように、涙滴形状における尖った部分を切除したような形状、つまり、先端側の半分が半球状を呈し、当該半球状部分から本体２側へ向かうにつれて、回転体３を完全な球状とした場合に比べて緩やかに外径が小さくなるような形状を有している。回転体３の直径、即ち、回転中心３１と直交する方向における外径の最大値は、例えば、１０〜２０ｍｍの範囲から適宜設定することができる。回転体３の表面は、多数の三角形状を呈する平面から構成されている。回転体３の表面には、後述する第２電極４２が設けられている。
【００７５】
本例のマッサージ器１は、本体２の周縁部２１に配置された第１電極４１と、回転体３の表面に配置された第２電極４２と、本体２における第１電極４１から離間した位置に配置された第３電極４３とを有している。そして、マッサージ器１は、第１電極４１及び第２電極４２のうち少なくとも一方と第３電極４３とが肌に接触した状態において、肌に接触した電極を含む電流経路を形成することができるように構成されている。
【００７６】
より具体的には、第１電極４１は、本体２の周縁部２１における第１凹状部２１２ａ、即ち、回転体３を備えた第１頂部２２と尾部２４とを接続する部分の全体に亘って設けられている。また、第３電極４３は、厚み方向から視た平面視における、本体２の周縁部２１よりも内側の部分に設けられている。第１電極４１、第２電極４２及び第３電極４３は、本体２に内蔵された図示しない制御回路を介して互いに接続されている。また、制御回路は、本体２の周縁部２１における第２頂部２３と尾部２４との間に配置された太陽電池モジュール４４に接続されている。
【００７７】
本例のマッサージ器１は、種々の態様で使用することができる。例えば、頬及び目元のリフトアップを行う場合には、図８に示すように、本体２の第１凹状部２１２ａを法令線に沿って頬に押し当てるとともに第１回転体３ａを目元に押し当てる。そして、マッサージ器１を頬に沿って左右に往復移動（図８、矢印Ｍ１）することにより、第１凹状部２１２ａを頬の膨らみに沿って摺動させると同時に第１回転体３ａを目元において転動させることができる。これにより、図９に示すように、比較的皮膚の厚い頬５１１にかっさを施して血流を促進させることができる。更に、かっさと同時に回転体３を比較的皮膚の薄い目元５１２に転動させ、エステティシャンによるマッサージのような柔らかな刺激を与えて目元をほぐすことができる。その結果、頬のリフトアップを行うことができる。
【００７８】
また、頬及び目元のリフトアップを行う別の方法として、例えば図１０に示すように、頂部２２、２３を口元に向け、尾部２４が頂部２２、２３から斜め下方を向くようにして第１凹状部２１２ａを頬に押し当てるとともに第１回転体３ａを目元に押し当てる。そして、第１回転体３ａが尾部２４を中心として旋回するようにマッサージ器１を往復移動（図１０、矢印Ｍ２）することにより、第１凹状部２１２ａを頬の膨らみに沿って摺動させると同時に第１回転体３ａを頬骨に沿って転動させることができる。これにより、図１１に示すように、比較的皮膚の厚い頬５２１にかっさを施して血流を促進させることができる。更に、かっさと同時に回転体３を比較的皮膚の薄い頬骨に沿う部分５２２に転動させ、エステティシャンによるマッサージのような柔らかな刺激を与えて当該部分をほぐすことができる。その結果、頬のリフトアップを行うことができる。
【００７９】
また、あごの引き締めを行う場合には、例えば図１２に示すように、第２回転体３ｂを口元側に向けつつ、第１頂部２２と第２頂部２３との間にあごが挟まれるようにして本体２及び第２回転体３ｂを顔に押し当てる。そして、マッサージ器１をあごに沿って往復移動（図１２、矢印Ｍ３）することにより、第１頂部２２と第２頂部２３との間の陥没部２５、即ち、本体２の周縁部２１における、第１頂部２２の上端２２１から第２頂部２３の上端２３１までに亘る部分をあごに沿って摺動させると同時に、第２回転体３ｂを口元に沿って転動させることができる。これにより、図１３に示すように、比較的皮膚の厚いあごに沿う部分５３１にかっさを施して血流を促進させることができる。更に、かっさと同時に回転体３を、比較的皮膚の薄い口元５３２に転動させ、エステティシャンによるマッサージのような柔らかな刺激を与えて当該部分をほぐすことができる。その結果、あごの引き締めを行うことができる。
【００８０】
本例のマッサージ器１は、前述したように、本体２の周縁部２１と回転体３とを同時に肌に押し当ててマッサージを行う方法以外に、かっさを単独で行う方法や、回転体３によるマッサージを単独で行う方法を実施することもできる。例えばかっさを単独で行う場合には、図には示さないが、本体２における第２頂部２３や尾部２４等を肌に押し当ててマッサージ器１を往復移動させることにより、本体２が押し当てられた部分に適度な刺激を与えて血流を促進させることができる。
【００８１】
また、回転体３によるマッサージを単独で行う場合には、例えば図１４に示すように、第１回転体３ａを目元に押し当て、マッサージ器１を左右に往復移動（図１４、矢印Ｍ４）することにより、図１５に示すように比較的皮膚の薄い目元に沿う部分５４にエステティシャンによるマッサージのような柔らかな刺激を与えて当該部分をほぐすことができる。なお、図１４に示すように第１回転体３ａを肌上で転動させる方法に替えて、第２回転体３ｂを肌上で転動させても同様の作用効果を奏することができる。
【００８２】
図には示さないが、回転体３によるマッサージは、前述した目元に限らず、例えば、頬骨に沿う部分や口元のような、比較的皮膚の薄い部分に行うことも可能である。
【００８３】
本例のマッサージ器１は、第１回転体３ａと第２回転体３ｂとの両方を肌に押し当てて往復移動させることにより、２つの回転体３の間に肌を摘み上げるマッサージを行うこともできる。例えば、目元の皮膚を摘み上げるマッサージを行う場合には、図１６に示すように、第１回転体３ａと第２回転体３ｂとが上下方向に並ぶようにしてこれらの回転体３を目元に押し当てる。そして、この状態で、マッサージ器１を目元に沿って左右に往復移動（図１６、矢印Ｍ５）することにより、目元の皮膚５５（図１７参照）を摘み上げて血流を促進させることができる。
【００８４】
また、目尻の皮膚を摘み上げるマッサージを行う場合には、図１８に示すように、第１回転体３ａと第２回転体３ｂとが左右方向に並ぶようにしてこれらの回転体３を目元に押し当てる。そして、この状態で、マッサージ器１を目尻からこめかみにかけてのラインに沿って往復移動（図１８、矢印Ｍ６）することにより、目尻の皮膚５６（図１９参照）を摘み上げて血流を促進させることができる。
【００８５】
図には示さないが、２つの回転体３によって肌を摘み上げるマッサージは、前述した目元や目尻に限らず、例えば、頬などの比較的皮膚の厚い部分に行ってもよいし、頬骨に沿う部分や口元のような、比較的皮膚の薄い部分に行ってもよい。
【００８６】
このように、本例のマッサージ器１は、肌への押し当て方を適宜変更することにより、種々のマッサージを行うことができるように構成されている。
【００８７】
本例のマッサージ器１により肌に微弱な電流を流そうとする場合には、第３電極４３が手に触れるようにして本体２を把持し、回転体３及び第１凹状部２１２ａの少なくとも一方を肌に接触させる。これにより、第１電極４１及び第２電極４２のうち少なくとも一方と第３電極４３とを含む電流経路が形成される。そして、太陽電池モジュール４４に光が照射されると、制御回路に電力が供給され、電流経路に微弱な電流を流すことができる。以上の結果、肌に微弱な電流を流すことができる。
【００８８】
次に、本例のマッサージ器１の作用効果を説明する。マッサージ器１は、図２に示すように、本体２の周縁部２１から外方に突出するように配置された回転体３を有している。そして、回転体３の回転中心３１は、本体２の周縁部２１から外方に突出している。回転体３及び回転中心３１をこのように配置することにより、本体２の周縁部２１と回転体３とを同時に肌に押し当てることができる。その結果、かっさと回転体によるマッサージとを同時に行うことができる。また、回転体を本体２の周縁部２１から外方に突出するように配置することにより、例えば顔等の起伏の変化の大きい部分にも、回転体を容易に押し当てることができる。
【００８９】
また、図２に示すように、本体２は、その厚み方向から視た平面視における外方に膨出した膨出部２０としての第１頂部２２、第２頂部２３及び尾部２４を有している。そして、回転体３の回転中心３１は、これらの膨出部２０のうち、第１頂部２２から外方に突出している。そのため、例えば図８及び図１０に示すように第１回転体３ａを肌に押し当てた場合には、第１回転体３ａとともに、第１頂部２２に連なる第１凹状部２１２ａとを容易に肌に押し当てることができる。また、例えば図１２に示すように、第２回転体３ｂを肌に押し当てた場合には、第１頂部２２と、これに連なる第２凹状部２１２ｂ及び第２頂部２３とを容易に肌に押し当てることができる。これらの結果、マッサージ器１の使い勝手をより向上させることができる。更に、回転体３を膨出部２０から外方に突出するように配置することにより、例えば目元や鼻筋等の、周囲より陥没した部位においても、回転体３を容易に肌の表面に押し当てることができる。その結果、回転体３によるマッサージをむらなく行うことができる。
【００９０】
また、本体２は、図２に示すように、膨出部２０として、互いに並んで配置された第１頂部２２と第２頂部２３とを有している。さらに、本体２は、第１頂部２２と第２頂部２３との間に形成され、本体２の厚み方向から視た平面視において頂部２２、２３よりも内方に陥没した陥没部２５を有している。そのため、例えば図１２に示すように、陥没部２５にあご等の周囲よりも外方に張り出した部位を挟み込み、陥没部２５全体を当該部位の表面に容易に押し当てることができる。その結果、周囲よりも外方に張り出した部位において、かっさをむらなく行うことができる。さらに、この場合には、陥没部２５に周囲よりも外方に張り出した部位を挟み込むとともに、回転体３を肌に押し当ててマッサージ器１を往復移動させることにより、かっさと回転体３によるマッサージとを同時に行うこともできる。
【００９１】
本体２の周縁部２１は、図２に示すように、凸状部２１１と、当該凸状部２１１に連なる凹状部２１２とを有しており、回転体３は、当該凸状部２１１から外方に突出するように配置されている。そのため、例えば図８、図１０に示すように、回転体３を肌に押し当てつつ、凹状部２１２を肌５の湾曲形状に沿って押し当てることができる。
【００９２】
例えば、頬のリフトアップ（図８参照）を行う場合には、図２０に示すように、目元５１２に第１回転体３ａを当接させるとともに、頬５１１に第１凹状部２１２ａを当接させてマッサージを行う。この際、第１凹状部２１２ａは、頬５１１の凸状曲面に沿って湾曲しているため、第１凹状部２１２ａを頬５１１に沿って押し当てることができる。
【００９３】
これに対し、例えば図２１に示すような、回転体９１が突出している凸状部９１１に他の凸状部９１２が連なっているマッサージ器９を用いてかっさと回転体９１によるマッサージとを同時に行う場合には、凸状部９１２が、頬５１１の凸状曲面から遠ざかるように湾曲している。そのため、本例のマッサージ器１（図２０参照）に比べて、肌から凸状部９１２までの距離が大きくなりやすい。
【００９４】
このように、凸状部２１１と凹状部２１２とを前述のごとく配置することにより、本体２の周縁部２１と肌との接触部分の長さを更に長くし、かっさをさらに効率よく行うことができる。
【００９５】
また、本体２の周縁部２１は、図２に示すように、その少なくとも一部に、２か所の凸状部２１１と、これらの凸状部２１１の間に配置された凹状部２１２とを有している。そして、回転体３は、その少なくとも一部がこれら２か所の凸状部２１１の両方に接する直線よりも外方に突出するように配置されている。そのため、例えば図８及び図１０に示すように、凹状部２１２または凸状部２１１を肌に押し当てた場合に、回転体３を肌側に突出させることができる。そのため、直線部または凹状部２１２を肌に押し当てつつ、回転体３をより容易に肌に押し当てることができる。これにより、マッサージ器１の使い勝手をより向上させることができる。
【００９６】
回転体３は、図２に示すように球状を呈している。そのため、例えば図８、図１０及び図１４に示すように、目元や鼻筋等の、周囲より陥没した部位においても、回転体３を容易に肌の表面に押し当てることができる。その結果、回転体３によるマッサージをむらなく行うことができる。
【００９７】
本体２の厚み方向と、回転中心３１の延設方向とのなす角度は、図５に示すように６０〜１２０度の範囲内である。そのため、例えば図８〜図１２に示すように、本体２の周縁部２１と回転体３とを同時に肌に押し当て、更にはマッサージ器１の移動に伴って回転体３を回転させることができる。
【００９８】
また、２個の回転体３は、厚み方向から視た平面視における本体２の輪郭に沿って、互いに並んで配置されている。換言すると、本例のマッサージ器１は、図４に示すように、各回転体３（３ａ、３ｂ）における、外表面と当該回転体３の回転中心３１（３１ａ、３１ｂ）とが交わる点である頂点３１１（３１１ａ、３１１ｂ）と、２本の回転中心３１の交点３１２と、本体２の外表面における交点３１２からも距離が最も大きい点である後端点２４１と、を有している。
【００９９】
そして、２点の頂点３１１（３１１ａ、３１１ｂ）のうち後端点２４１からの距離が短い頂点（つまり、第１回転体３ａの頂点）を第１頂点３１１ａ、後端点２４１からの距離が長い頂点（つまり、第２回転体３ｂの頂点）を第２頂点３１１ｂとし、図７に示すように、第１頂点３１１ａ、第２頂点３１１ｂ及び後端点２４１が一直線上に並び、かつ、第２頂点３１１ｂから後端点２４１までの距離が最大となるようにマッサージ器１を見た場合に、第１頂点３１１ａが第２頂点３１１ｂと後端点２４１との間に配置されている。なお、図７においては、便宜上、回転体３の表面形状を簡略化したが、実際には、図１〜図５に示すように、回転体３の表面は多数の三角形状平面から構成されている。
【０１００】
本例のマッサージ器１は、例えば図１６や図１８に示すように、２個の回転体３を肌に押し当てつつマッサージ器１を本体２の厚み方向に往復移動させることにより、２個の回転体３によって肌を適度に強く摘み上げることができる。また、前述した往復移動は、例えば、上腕部を動かさず、前腕部や手首を振るようにしてマッサージ器１を動かすことにより容易に実現することができる。
【０１０１】
これに対し、例えば図２２に示すような棒状のハンドル９２の先端に２個の回転体９１を有する従来の美容器９０２においては、２個の回転体９１を肌に押し当てた際に、ハンドル９２の長手方向が２個の回転体９１の並び方向に対して概ね直交する。そのため、この種の美容器を用いて肌を摘み上げるマッサージを行う場合には、矢印Ｍ７に示すように、腕全体を動かして美容器９０２をハンドル９２の長手方向に往復移動させる必要がある。それ故、本例のマッサージ器１に比べて腕への負荷が高くなりやすい。
【０１０２】
また、従来の美容器９０２においては、例えば図２３に示すように、ペンを持つようにしてハンドル９２を把持し、前腕部や手首を振るようにして美容器９０２を往復移動させる方法もある。しかし、この方法では肌への施術の強弱を調節しにくい。たとえば、本例のマッサージ器１のように、回転体３の反対側から本体２を把持する場合に比べて回転体９１が肌を押圧する力が弱くなりやすい。そのため、肌を摘み上げる力が弱くなるおそれがある。
【０１０３】
このように、本例のマッサージ器１によれば、従来の美容器９０２に比べて施術の強弱を調節しやすくなる。また、マッサージを行う際の腕への負荷をより軽減し、使い勝手をよりよくすることができる。
【０１０４】
また、本例のマッサージ器１においては、図４に示すように、第２頂点３１１ｂと後端点２４１とを結ぶ直線Ｌ３に平行な方向を縦方向Ｘとし、本体２の厚み方向から視た平面視において直線Ｌ３に直交する方向を横方向Ｙとした場合に、縦方向Ｘにおける本体の外形寸法ＤＸが横方向Ｙにおける本体２の外形寸法ＤＹよりも長い。
【０１０５】
そのため、例えば図１４や図１６に示すように、使用者が回転体３の反対側、つまり、幅方向の左方から本体２を把持して回転体３を肌に押し付けることにより、肌への押圧力を適度に大きくすることができる。更に、本体２の形状を前述のごとく縦方向に長い形状とすることにより、横方向に長い形状とした場合に比べて手から回転体３までの距離を短くすることができる。
【０１０６】
それ故、本例のマッサージ器１によれば、回転体３を肌に転動させるマッサージや肌を摘み上げるマッサージを行う際に、肌を適度に強く押圧しつつマッサージ器１を意図した通りに動かしやすくなる。その結果、マッサージ器１の使い勝手をより向上させることができる。
【０１０７】
また、図４に示すように、本体２は、厚み方向から視た平面視において、第２頂点３１１ｂと後端点２４１とを結ぶ直線Ｌ３に垂直な断面における本体２の図心を連ねてなる中心線Ｌ４によって区画された２か所の領域Ａ１、Ａ２を有している。２個の回転体３は、２か所の領域Ａ１、Ａ２のうち同一の領域Ａ１の外方に配置されている。
【０１０８】
そのため、例えば図１４や図１６に示すように、回転体３を肌に転動させるマッサージや肌を摘み上げるマッサージを行う際に、使用者が回転体３の反対側から本体２を把持して回転体３を肌へ押しつけることにより、肌への押圧力を適度に大きくすることができる。また、回転体３を前記特定の位置に配置することにより、手首をまっすぐにした自然な姿勢で本体２を把持し、回転体３を肌に押し当てることができる。これらの結果、マッサージ器１の使い勝手をより向上させることができる。
【０１０９】
本体２は、第２頂点３１１ｂ側から後端点２４１側に向かうにつれて厚み方向から視た平面視における幅が狭くなる先細り形状を有している。そのため、本体２の形状を、使用者がより持ちやすい形状とすることができる。その結果、マッサージ器１の使い勝手をより向上させることができる。
【０１１０】
マッサージ器１は、図２に示すように、本体２の外方に間隔を開けて配置された２個の回転体３を有しており、各回転体３の回転中心３１は、当該回転体３に近いほど互いの間隔が拡がるように配置されている。そのため、例えば図１６及び図１８に示すように、２個の回転体３を肌に押し当てつつマッサージ器１を肌上で往復移動させることにより、これらの回転体３によって肌を摘み上げるようにマッサージを行うことができる。そして、使用者は、前記マッサージ器１を用いることにより、かっさ、回転体３を肌上で転動させるマッサージ、かっさと回転体３の転動とを同時に行うマッサージ及び、前述した肌を摘み上げるマッサージから所望のマッサージを選択して行うことができる。
【０１１１】
マッサージ器１は、図２に示すように、本体２の周縁部２１に配置された第１電極４１と、回転体３の表面に配置された第２電極４２と、本体２における第１電極４１から離間した位置に配置された第３電極４３とを有している。また、第１電極４１及び第２電極４２のうち少なくとも一方と第３電極４３とが肌に接触した状態において、肌に接触した電極を含む電流経路を形成することができるように構成されている。
【０１１２】
そのため、第３電極４３に触れるようにして本体２を手で把持し、第１電極４１及び第２電極４２の少なくとも一方を肌に押し当ててかっさ等のマッサージを行うことにより、前記電流経路に微弱な電流を流すことができる。そして、かっさ等のマッサージに加えて、マッサージしている部位に前述した微弱な電流を流すことにより、マッサージの効果と微弱な電流による効果とを相乗的に作用させ、肌への美容効果をより高めることができる。
【０１１３】
（実施例２）
本例は、本体２における第１凹状部２１２ａの両端に回転体３（３ａ、３ｃ）を設けたマッサージ器１０２の例である。なお、本実施例以降において用いる符号のうち、既出の実施例において用いた符号と同一のものは、特に説明のない限り、既出の実施例における構成要素と同一の構成要素等を示す。
【０１１４】
図２４に示すように、本例のマッサージ器１０２は、厚み方向から視た平面視においてハート形を呈する本体２を有している。本体２の周縁部２１における第１凸状部２１１ａには、第１回転体３ａ及び第２回転体３ｂが互いに間隔を開けて配置されている。また、第３凸状部２１１ｃの一部を構成する尾部２４には、本体２の周縁部２１から外方に突出するように配置された第３回転体３ｃが設けられている。第３回転体３ｃは、第３凸状部２１１ｃの一部としての尾部２４と、第１凸状部２１１ａとの両方に接する直線Ｌ１よりも外方に突出するように配置されている。また、図には示さないが、第３回転体３ｃの回転中心３１ｃは、本体２の厚み方向と直交する方向に延設されている。その他は実施例１と同様である。
【０１１５】
本例のマッサージ器１０２においては、第１凹状部２１２ａの両端に、第１回転体３ａと、第３回転体３ｃとが設けられている。そのため、例えば、第１凹状部２１２ａと第３回転体３ｃとを同時に肌に押し当ててマッサージ器１０２を往復移動させることにより、かっさと回転体３を転動させるマッサージとを同時に行うことができる。その他、本例のマッサージ器１０２は、実施例１と同様の作用効果を奏することができる。
【０１１６】
（実施例３）
本例は、比較的単純な形状の本体を有するマッサージ器１０３、１０４の例である。マッサージ器の本体は、実施例１に示したように比較的複雑な形状をしていてもよいし、円板状や四角形状等の比較的単純な形状を呈していてもよい。例えば図２５に示すマッサージ器１０３のように本体２０３が円板状を呈している場合には、本体２０３の周縁部２１における任意の位置に回転体３を設けることができる。また、例えば図２６に示すマッサージ器１０４のように本体２０４が四角形状を呈している場合には、本体２０４の角部に回転体３を設けてもよいし、図には示さないが、本体２０３の直線部２１３に回転体３を設けてもよい。
【０１１７】
本体２、２０３、２０４の形状がどのような形状であっても、回転体３と本体２、２０３、２０４の周縁部２１とを同時に肌に押し当てることができるように配置されていれば、かっさと回転体３を転動させるマッサージとを同時に行うことができる。
【０１１８】
（実施例４）
本例は、厚み方向から視た平面視において弧状を呈する本体２０５を備えたマッサージ器１０５の例である。図２７に示すように、本例のマッサージ器１０５は、板状を呈するとともに、厚み方向から視た平面視において弧状を呈する本体２０５を有している。本体２０５の端部２７は、厚み方向から視た平面視において半円状を呈しており、端部２７同士を接続する中間部２７１は全長に亘って一定の幅を有している。また、本体２０５の周縁部２６は、本体２０５の厚み方向から視た平面視における輪郭が凸状に湾曲した凸状部２６１と、前記平面視における輪郭が凹状に湾曲し凸状部２６１に連なる凹状部２６２とを有している。
【０１１９】
本体２０５の一方の端部２７ａの外方には、２個の回転体３が本体２０５の周縁部２６から外方に突出するように配置されている。２個の回転体３（３ａ、３ｂ）の回転中心３１（３１ａ、３１ｂ）は、本体２０５から回転体３へ向かうほど互いの間隔が広がるように配置されており、交点３１２において互いに交差している。
【０１２０】
図２７に示すように、本体２０５は、凹状部２６２と、凹状部２６２の両端にそれぞれ連なる凸状部２６１とを有している。２個の回転体３のうち、凹状部２６２に近い第１回転体３ａは、凸状部２６１における、凹状部２６２よりも回転体３側の部分と、回転体３とは反対側の部分との両方に接する直線Ｌ１よりも外方に突出するように配置されている。
【０１２１】
また、図２８に示すように、２個の回転体３は厚み方向から視た平面視における本体２０５の輪郭に沿って、互いに並んで配置されている。つまり、本例のマッサージ器１０５は、各回転体３（３ａ、３ｂ）における外表面と当該回転体３の回転中心３１（３１ａ、３１ｂ）とが交わる点である頂点３１１（３１１ａ、３１１ｂ）と、２本の回転中心３１の交点３１２と、本体２の外表面における交点３１２からも距離が最も大きい点である後端点２４１と、を有している。
【０１２２】
２点の頂点３１１（３１１ａ、３１１ｂ）のうち後端点２４１からの距離が短い頂点（つまり、第１回転体３ａの頂点）を第１頂点３１１ａ、後端点２４１からの距離が長い頂点（つまり、第２回転体３ｂの頂点）を第２頂点３１１ｂとし、図２９に示すように、第１頂点３１１ａ、第２頂点３１１ｂ及び後端点２４１が一直線上に並び、かつ、第２頂点３１１ｂから後端点２４１までの距離が最大となるようにマッサージ器１を見た場合に、第１頂点３１１ａが第２頂点３１１ｂと後端点２４１との間に配置されている。なお、図２９においては、便宜上、回転体３の表面形状を簡略化したが、実際には、図２８に示すように、回転体３の表面は多数の三角形状平面から構成されている。
【０１２３】
また、図２８に示すように、本体２０５は、第１頂点３１１ａと後端点２４１とを結ぶ直線Ｌ３に平行な方向を縦方向Ｘとし、本体２の厚み方向から視た平面視において直線Ｌ３に直交する方向を横方向Ｙとした場合に、縦方向Ｘにおける本体２０５の外形寸法ＤＸが横方向Ｙにおける本体２０５の外形寸法ＤＹよりも長い。
【０１２４】
２個の回転体３は、本体２０５の厚み方向から視た平面視において、中心線Ｌ４によって区画された本体２０５の２つの領域Ａ１、Ａ２のうち同一の領域Ａ１の外方に配置されている。その他は実施例１と同様である。
【０１２５】
本例のマッサージ器１０５は、第１頂部２２と第２頂部２３との間にあご等の周囲よりも外方に張り出した部位を挟み込む使用法を除いて実施例１のマッサージ器１と同様に使用することができる。
【０１２６】
（実施例５）
本例は、第１頂部２２と第２頂部２３とのそれぞれに２個の回転体３を備えたマッサージ器１０６の例である。本例のマッサージ器１０６は、図３０に示すように、第１頂部２２に加えて第２頂部２３にも２個の回転体３（３ｃ、３ｄ）が設けられている。２個の回転体３（３ｃ、３ｄ）の回転中心３１（３１ｃ、３１ｄ）は、本体２から回転体３へ向かうほど互いの間隔が広がるように配置されており、交点３１２において互いに交差している。その他は実施例１と同様である。
【０１２７】
本例のマッサージ器１０６は、実施例１のマッサージ器１と同様に、第１頂部２２に設けられた２個の回転体３ａ、３ｄを用いて肌を摘み上げるマッサージを行うことができる。また、第２頂部２３に設けられた２個の回転体３ｃ、３ｄを用いて肌を摘み上げるマッサージを行うこともできる。更に、マッサージ器１０６は、実施例１のマッサージ器１と同様に、かっさと回転体３によるマッサージとを同時に行う方法、かっさ単独、回転体３によるマッサージ単独などの種々のマッサージを行うこともできる。
【０１２８】
（実施例６）
本例は、第１電極４１１、４１２、第２電極４２及び第３電極４３が別々の部品に設けられたマッサージ器１０７の例である。図３１及び図３２に示すように、本例のマッサージ器１０７は、実施例１のマッサージ器１と同様の形状、つまりに、厚み方向から視た平面視においてハート型を呈している。
【０１２９】
本体２０７の外表面は、３個のシェル片５１〜５３を有している。第１シェル片５１は、本体２の上部に配置されている。図３２に示すように、第１シェル片５１には、第１凸状部２１１ａにおける上方の部分、第２凸状部２１１ｂ、第２凹状部２１２ｂ及び第３凸状部２１１ｃにおける上方の部分が含まれている。また、第１シェル片５１の表面には、第１電極４１１が配置されている。
【０１３０】
第２シェル片５２は、本体２の右方の部分に配置されている。第２シェル片５２には、第１凸状部２１１ａにおける下方の部分と第１凹状部２１２ａとが含まれている。また、第２シェル片５２の表面には、第１電極４１２が配置されている。
【０１３１】
本体２の外表面における第１シェル片５１、第２シェル片５２及び太陽電池モジュール４４以外の部分、つまり、厚み方向の両面に配置された２枚の主面部２８と、第３凸状部２１１ｃにおける太陽電池モジュール４４よりも下方の部分とは、第３シェル片５３から構成されている。第３シェル片５３の表面には、第３電極４３が配置されている。
【０１３２】
第１シェル片５１の第１電極４１１、第２シェル片の第１電極４１２及び回転体３の表面に設けられた第２電極４２は、本体２０７の内部において互いに電気的に接続されている。更に、これらの電極４１１、４１２、４２は、太陽電池モジュール４４に電気的に接続されている。また、第３シェル片５３の表面に設けられた第３電極４３は、太陽電池モジュール４４に電気的に接続されている。その他は実施例１と同様である。
【０１３３】
本例のマッサージ器１０７は、実施例１と同様の作用効果を奏することができる。
【０１３４】
本発明に係るマッサージ器の態様は、前述した実施例１〜６の態様に限定されるものではなく、その趣旨を損なわない範囲で適宜構成を変更することができる。
【符号の説明】
【０１３５】
１、１０２、１０３、１０４、１０５、１０６、１０７  マッサージ器
２、２０３、２０４、２０５、２０７  本体
２１、２６  周縁部
３  回転体
３１  回転中心
【図１】
2019063481.tif 000003
【図２】
2019063481.tif 000004
【図３】
2019063481.tif 000005
【図４】
2019063481.tif 000006
【図５】
2019063481.tif 000007
【図６】
2019063481.tif 000008
【図７】
2019063481.tif 000009
【図８】
2019063481.tif 000010
【図９】
2019063481.tif 000011
【図１０】
2019063481.tif 000012
【図１１】
2019063481.tif 000013
【図１２】
2019063481.tif 000014
【図１３】
2019063481.tif 000015
【図１４】
2019063481.tif 000016
【図１５】
2019063481.tif 000017
【図１６】
2019063481.tif 000018
【図１７】
2019063481.tif 000019
【図１８】
2019063481.tif 000020
【図１９】
2019063481.tif 000021
【図２０】
2019063481.tif 000022
【図２１】
2019063481.tif 000023
【図２２】
2019063481.tif 000024
【図２３】
2019063481.tif 000025
【図２４】
2019063481.tif 000026
【図２５】
2019063481.tif 000027
【図２６】
2019063481.tif 000028
【図２７】
2019063481.tif 000029
【図２８】
2019063481.tif 000030
【図２９】
2019063481.tif 000031
【図３０】
2019063481.tif 000032
【図３１】
2019063481.tif 000033
【図３２】
2019063481.tif 000034